(57)【要約】【課題】固定ガスメータに使用するガス器具の登録を精度良く行い、使用するガス器具を特定でき、ガス器具に応じた保安機能を有する器具判別ガスメータシステムを提供することを目的とする。【解決手段】使用者が使用するガス器具３の流量パターンを着脱自在なハンディガスメータ５で直接ガス流量を計測して登録データとするようにして、他のガス器具３が使用中であっても、計測するガス器具３のガス流量が複合されて、固定ガスメータ１に使用するガス器具３の登録を正確にできない危険性を回避することができ、他の影響を受けずに、登録するガス器具３のガス流量を流量計測手段で計測できるようになり、ハンディガスメータ５に使用ガス器具３の登録を精度良く行うことができるようになる。【選択図】図１
2010243052.tif 000002
【特許請求の範囲】
【請求項１】
家庭用ガス供給管に接続されガス流量を計測する固定流量計測手段を有する固定ガスメータと、前記固定ガスメータの下流側の家庭用ガス供給管に設けガス器具を着脱自在に接続するガスコンセントと、前記ガスコンセントに接続して使用者が使用するガス器具と、前記ガスコンセントと前記ガス器具の間に着脱自在に接続して下流側となる前記ガス器具のガス流量を計測するハンディ流量計測手段を有するハンディガスメータとを備え、前記ハンディガスメータは、前記ガス器具の流量パターンを前記ハンディ流量計測手段で計測して登録データとする登録手段と、前記登録手段を開始させる登録開始手段と、得られた前記ガス器具の流量パターンを登録データとして記憶する登録パターン記憶手段と、前記固定ガスメータに登録データを伝達する伝達手段とで構成するとともに、前記固定ガスメータは、前記ハンディガスメータのガス器具の登録データを入力する情報入力手段と、前記情報入力手段により入力された登録データを記憶する登録記憶手段と、前記登録記憶手段の登録データと前記流量計測手段で計測されるガス流量値とを比較し前記ガス器具を判断する器具判別手段を構成して、予め、使用者が使用するガス器具の流量パターンを前記ハンディガスメータで取得して、登録データとして前記固定ガスメータの前記登録記憶手段に登録を行い、前記登録記憶手段の登録データと固定ガスメータの固定流量計測手段で計測されるガス流量値とを比較し前記ガス器具を判断する器具判別ガスメータシステム。
【請求項２】
ハンディガスメータは、ガス器具の流量パターンをハンディ流量計測手段で計測して得られたデータを簡素化してパターン処理を行い登録データとするパターン処理手段を有する請求項１に記載の器具判別ガスメータシステム。
【請求項３】
ハンディガスメータは、超音波流量計測により構成される流量計測手段を備える請求項１または２に記載の器具判別ガスメータシステム。
【発明の詳細な説明】
【技術分野】
【０００１】
本発明は、各家庭でのガス供給管の入り口部分に設置され、ガス流量を計測するガスメータにおいて、ガス器具毎に応じた高度な保安機能やサービスを提供するために使用中のガス器具を判別検知する技術に関するものである。
【背景技術】
【０００２】
従来、この種の器具判別ガスメータシステムの事例としては、以下に示すような構成がある。
【０００３】
一般的に各家庭には図５に示すように、ガス供給ラインの入り口にガスの流量計を内蔵したガスメータ２１が取り付けられている。
【０００４】
現状多くのガスメータ２１にはガス流量の計測という基本的な機能に付加して、異常時発生時にはガス供給を遮断する保安機能を有している。例えば、地震に対しては感震器を内蔵し、振動を検知し、ガスを遮断する。またガスの漏洩に対しては、ある所定量で所定時間以上ガスが流れている場合、異常と見なしてガスを遮断する仕組みを有している。
【０００５】
しかしながらこの保安機能をさらに進化させるためには、使用器具の判別を行い、器具に応じた遮断条件を設定してやる必要があり、以下のような提案がなされている。すなわち計測されるガス流量に応じて、その流量変化から、使用されているガス器具を類推するアルゴリズムを提唱するものである（例えば、特許文献１参照）。
【０００６】
さらに、上記の使用器具の判別を具現化するために、種々の提案がなされており、例えば、家庭用ガス供給管に接続され、ガス流量を計測する流量計測手段に加え、器具情報入力手段と器具情報入力手段により登録されたデータを記憶する登録記憶手段と登録記憶手段のデータをもとにガス流量計測手段で計測されるガス流量値と比較し、使用ガス器具を判断する器具判別手段を有する構成である。
【０００７】
そしてこれによれば、各家毎個別に、ガスメータにその家にあるガス器具の登録を行う構成とし、登録するデータとして各機器に特徴的な流量パターンを登録するため、判別する機器の数が個々の家庭内の登録機器に限られ比較するデータ数が少なくなると共に、判別基準となる各機器の流量パターンを比較基準データとして記憶させるため、器具判別の信頼性が向上し、器具判別が簡単なアルゴリズムで高い判別能力をもつことが可能となり、使用器具に対応した保安設定値を最適に変更することや、使用機器に対応したガス料金の設定など、新たなサービスの提供を可能とする（例えば、特許文献２参照）。
【先行技術文献】
【特許文献】
【０００８】
【特許文献１】特開平３−２３６５１３号公報
【特許文献２】特開２００６−２００８０２号公報
【発明の概要】
【発明が解決しようとする課題】
【０００９】
上記した使用ガス器具を判断する器具判別を行うには、各家毎個別に使用している使用ガス器具のガス流量を計測して、その特徴的なパターンを捉えて、ガスメータにその家にあるガス器具の登録を行い、この登録機器のデータと計測した使用ガス器具のガス流量を比較することで実現するようになっていて、器具判別を精度良く行うには、ガスメータに
使用ガス器具の登録を精度良く行わなければならない。
【００１０】
しかしながら、各家毎個別に使用している使用ガス器具は複数であるために、ガスメータにその家にあるガス器具の登録を行うときに、意図する機器以外に複数作動していたりすると、計測する使用ガス器具のガス流量が複合されて、ガスメータに使用ガス器具の登録を正確にできない危険性があった。特に、床暖房などの室内の暖房設備などに、ガス器具が使用されていると、常時使用されているものであるため、使用者があまり認識していない場合もあり、ガスメータに使用ガス器具の登録を正確にできない心配があった。
【００１１】
そのため、ガスメータに使用ガス器具の登録を器具情報入力手段で使用ガス器具の標準のデータを登録するようにすると、例えばガスメータにガス器具のデータテーブルを複数設け、使用ガス器具に対応するデータ番号を入力することで使用するガス器具の登録を行うようにすると、使用ガス器具のばらつきで、使用ガス器具の標準のデータと、各家毎個別に使用している使用ガス器具の計測されたガス流量のデータが異なり、やはり、使用ガス器具を判断する器具判別を精度良く行うことができないという心配があった。
【００１２】
本発明は、前記従来の課題を解決するもので、ガスメータに使用するガス器具の登録を精度良く行い、使用するガス器具を特定して、ガス器具に応じた保安機能を有する器具判別ガスメータシステムを提供することを目的とする。
【課題を解決するための手段】
【００１３】
前記従来の課題を解決するために、本発明の器具判別ガスメータシステムは、家庭用ガス供給管に接続されガス流量を計測する固定流量計測手段を有する固定ガスメータと、前記固定ガスメータの下流側の家庭用ガス供給管に設けガス器具を着脱自在に接続するガスコンセントと、前記ガスコンセントに接続して使用者が使用するガス器具と、前記ガスコンセントと前記ガス器具の間に着脱自在に接続して下流側となる前記ガス器具のガス流量を計測するハンディ流量計測手段を有するハンディガスメータとを備え、前記ハンディガスメータは、前記ガス器具の流量パターンを前記ハンディ流量計測手段で計測して登録データとする登録手段と、前記登録手段を開始させる登録開始手段と、得られた前記ガス器具の流量パターンを登録データとして記憶する登録パターン記憶手段と、前記固定ガスメータに登録データを伝達する伝達手段とを構成するとともに、前記固定ガスメータは、前記ハンディガスメータの使用する前記ガス器具の登録データを入力する情報入力手段と、前記情報入力手段により入力された登録データを記憶する登録記憶手段と、前記登録記憶手段の登録データと前記流量計測手段で計測されるガス流量値とを比較し使用するガス器具を判断する器具判別手段を構成して、予め、使用者が使用するガス器具の流量パターンを前記ハンディガスメータで取得して、登録データとして前記固定ガスメータの前記登録記憶手段に登録を行い、前記登録記憶手段の登録データと固定ガスメータの固定流量計測手段で計測されるガス流量値とを比較し前記ガス器具を判断するように構成してある。
【００１４】
そして、使用者が使用するガス器具の流量パターンを着脱自在なハンディガスメータで直接ガス流量を計測して登録データとするようにしてあるので、計測するガス器具のガス流量が複合されて、ハンディガスメータにガス器具の登録を正確にできない危険性を回避することができ、他の影響を受けずに、登録するガス器具のガス流量をハンディ流量計測手段で計測できるようになり、ハンディガスメータにガス器具の登録を精度良く行うことができるようになる。
【００１５】
また、使用者が使用するガス器具の流量パターンを登録するために、一般的に家屋の外に設けられている固定ガスメータで使用ガス器具の登録を行おうとすると、使用者が使用するガス器具と固定ガスメータが離れているために、登録操作を複数の人がかかって行う必要があったり、手間や時間を要してしまうようになる。しかしながら、ガスコンセント
と前記ガス器具の間に着脱自在に接続して使用ガス器具の登録を行うハンディガスメータを用いる場合には、ガス器具とハンディガスメータが近いために、登録操作を一人で行うことができ、手間を省略でき、時間短縮を図ることができる様になる。
【００１６】
さらに、ハンディガスメータの登録パターン記憶手段に得られた使用ガス器具の流量パターンを登録データとして蓄積するようにしておけば、使用者が使用するガス器具の流量パターンを登録するときに、同一機種があれば、使用ガス器具の流量パターンを新規に取得せずに、固定ガスメータに直接ハンディガスメータの登録パターン記憶手段の登録データを固定ガスメータの登録記憶手段に登録を行うことができ、使用ガス器具の登録の簡便化が図れるようになる。
【００１７】
そして、このように予め予使用者が使用するガス器具の流量パターンを前記ハンディガスメータで取得して、登録データとして前記固定ガスメータの前記登録記憶手段に登録を行い、前記登録記憶手段の登録データと固定ガスメータの固定流量計測手段で計測されるガス流量値とを比較し使用ガス器具を判断するようにしてあり、各家毎個別に使用している使用ガス器具の計測データが登録データとなるので、ガスメータに使用ガス器具の登録を精度良く行うことができるようになる。
【発明の効果】
【００１８】
本発明のガスメータは、予め予使用者が使用するガス器具の流量パターンをハンディガスメータで取得して、登録データとして固定ガスメータの前記登録記憶手段に登録を行い、登録記憶手段の登録データと固定ガスメータの固定流量計測手段で計測されるガス流量値とを比較し、使用ガス器具を判断するようにしてあり、他の影響を受けずに、登録する使用ガス器具のガス流量を流量計測手段で計測できるようになり、ガスメータに使用ガス器具の登録を精度良く行うことができるようになる。
【図面の簡単な説明】
【００１９】
【図１】本発明の実施の形態１における器具判別ガスメータシステムの構成図
【図２】本発明の実施の形態１における器具判別ガスメータシステムの流量計測部構成図
【図３】本発明の実施の形態１における器具判別ガスメータシステムの器具判別のフローチャート
【図４】本発明の実施の形態１における器具判別ガスメータシステムの器具登録のフローチャート
【図５】従来の固定ガスメータの配置図
【発明を実施するための形態】
【００２０】
第１の発明による器具判別ガスメータシステムは、家庭用ガス供給管に接続されガス流量を計測する固定流量計測手段を有する固定ガスメータと、前記ガスメータの下流側の家庭用ガス供給管に設けガス器具を着脱自在に接続するガスコンセントと、前記ガスコンセントに接続して使用者が使用するガス器具と、前記ガスコンセントと前記ガス器具の間に着脱自在に接続して下流側となる前記ガス器具のガス流量を計測するハンディ流量計測手段を有するハンディガスメータとを備え、前記ハンディガスメータは、前記ガス器具の流量パターンを前記ハンディ流量計測手段で計測して登録データとする登録手段と、前記登録手段を開始させる登録開始手段と、得られた前記ガス器具の流量パターンを登録データとして記憶する登録パターン記憶手段と、前記固定ガスメータに登録データを伝達する伝達手段とを構成するとともに、固定ガスメータは、前記ハンディガスメータの使用するガス器具の登録データを入力する情報入力手段と、前記情報入力手段により入力された登録データを記憶する登録記憶手段と、前記登録記憶手段の登録データと前記流量計測手段で計測されるガス流量値とを比較し前記ガス器具を判断する器具判別手段を構成して、予め
、使用者が使用するガス器具の流量パターンを前記ハンディガスメータで取得して、登録データとして前記固定ガスメータの前記登録記憶手段に登録を行い、前記登録記憶手段の登録データと固定ガスメータの第１流量計測手段で計測されるガス流量値とを比較し前記ガス器具を判断するように構成してある。
【００２１】
そして、使用者が使用するガス器具の流量パターンを着脱自在なハンディガスメータで直接ガス流量を計測して登録データとするようにしてあるので、他のガス器具３が使用中であっても、計測するガス器具のガス流量が複合されて、ガスメータに使用ガス器具の登録を正確にできない危険性を回避することができ、他の影響を受けずに、登録するガス器具のガス流量をハンディ流量計測手段で計測できるようになり、ハンディガスメータに使用ガス器具の登録を精度良く行うことができるようになる。
【００２２】
また、使用者が使用するガス器具の流量パターンを登録するために、一般的に家屋の外に設けられている固定ガスメータで使用ガス器具の登録を行おうとすると、使用者が使用するガス器具と固定ガスメータが離れているために、登録操作を複数の人がかかって行う必要があったり、手間や時間を要してしまうようになる。しかしながら、ガスコンセントとガス器具の間に着脱自在に接続して使用するガス器具の登録を行うハンディガスメータを用いる場合には、ガス器具とハンディガスメータが近いために、登録操作を一人で行うことができ、手間を省略でき、時間短縮を図ることができる様になる。
【００２３】
さらに、ハンディガスメータの登録パターン記憶手段に得られたガス器具の流量パターンを登録データとして蓄積するようにしておけば、使用者が使用するガス器具の流量パターンを登録するときに、同一機種があれば、ガス器具の流量パターンを新規に取得せずに、固定ガスメータに直接ハンディガスメータの登録パターン記憶手段の登録データを固定ガスメータの登録記憶手段に登録を行うことができ、ガス器具の登録の簡便化が図れるようになる。
【００２４】
そして、このように予め予使用者が使用するガス器具の流量パターンをハンディガスメータで取得して、登録データとして固定ガスメータの前記登録記憶手段に登録を行い、登録記憶手段の登録データと固定ガスメータの固定流量計測手段で計測されるガス流量値とを比較し、使用するガス器具を判断するようにしてあり、各家毎個別に使用しているガス器具の計測データが登録データとなるので、ガスメータに使用ガス器具の登録を精度良く行うことができるようになる。
【００２５】
第２の発明による器具判別ガスメータシステムは、特に第１の発明のハンディガスメータで、前記ガス器具の流量パターンを前記ハンディ流量計測手段で計測して得られたデータを簡素化してパターン処理を行い登録データとするパターン処理手段を有する構成としてある。
【００２６】
そして、ハンディガスメータで、ガス器具の流量パターンをハンディ流量計測手段で計測して得られたデータを簡素化してパターン処理を行い登録データとするパターン処理手段を有するので、固定ガスメータの固定流量計測手段よりハンディガスメータのハンディ流量計測手段の精度を高くして、使用ガス器具の流量パターンの精度を向上させることができるようになる。例えば、ハンディガスメータのハンディ流量計測手段のサンプリング間隔を短縮して使用ガス器具の流量パターンの計測を精度良く取得して、得られたデータを平均化等の簡素化してパターン処理を行い登録データとして固定ガスメータで扱えるようにして登録記憶手段に登録を行うことで、ノイズ成分の除去など登録データの精度をより高くすることができるようになり、器具判別に対する信頼性向上も図ることができる。
【００２７】
また、固定ガスメータの固定流量計測手段はハンディガスメータのハンディ流量計測手
段よりサンプリング間隔を長くすることができ、固定流量計測手段の簡素化や電池寿命の長寿命化等が図れるようになる。
【００２８】
第３の発明は、特に、第１または２のいずれか１つの発明の流量計測手段において、ハンディガスメータを、超音波による計測構成とすることで、流量値の計測範囲も広く、かつ瞬時流量計測も可能であるため、より正確な流量計測が行え、器具判別に対する信頼性向上も図るガスメータを構成することが可能となる。
【００２９】
以下、本発明の実施の形態について、図面を参照しながら説明する。なお、本実施の形態によって本発明が限定されるものではない。
【００３０】
（実施の形態１）
図１は、本発明の実施の形態１におけるガスメータの概略構成図、図２は流量計測部構成図、図３は器具判別フローチャート、図４は器具登録フローチャートである。  
【００３１】
図１において、ガス供給管の途中に固定ガスメータ１が設けられ、その下流側の配管には顧客宅内に設置された１台以上のガスコンセント２が設けてあり、このガスコンセント２にはガス器具３が着脱自在に接続され、使用されるようになっている。
【００３２】
そして、ガスコンセント２とガス器具３の間に着脱自在に接続して下流側となるガス器具３のガス流量を計測するハンディ流量計測手段４を有するハンディガスメータ５を配設し、使用者が使用するガス器具３の流量パターンをハンディガスメータ５で取得するようになっている。
【００３３】
このハンディガスメータ５は、使用ガス器具３の流量パターンをハンディ流量計測手段４で計測して登録データとする登録手段６と、登録手段６を開始させるスイッチ等の登録開始手段７と、得られたガス器具３の流量パターンを登録データとして記憶する登録パターン記憶手段８と、得られたガス器具３の流量データを平均化等の簡素化してパターン処理を行うパターン処理手段８ａと、固定ガスメータ１に登録データを伝達する伝達手段９例えば無線の送信装置とで構成されている。
【００３４】
また、固定ガスメータ１内部はガス管に接続されたガスの流路内に設けられたガス遮断弁１０と固定流量計測手段１１と固定流量計測手段１１からの信号を演算処理して使用ガス流量を表示する表示部１２、また地震などの振動を検出する感震器１３、感震器１３の作動や器具判断、保安機能その他を統括制御処理する制御部１４及びそれらの動力源となる電池（図示せず）を内蔵している。また、固定ガスメータ１には、本発明に係わるガス器具判別を行うため、ハンディガスメータ５の使用するガス器具３の登録データを入力する情報入力手段１５（例えば、無線の受信装置）と、情報入力手段１５により入力された登録データを記憶する登録記憶手段１６と、登録記憶手段１６の登録データと固定流量計測手段１１で計測されるガス流量値とを比較し使用ガス器具３を判断する器具判別手段１７とを備えている。
【００３５】
上記、登録パターン記憶手段８は、登録データを記憶保持する半導体メモリ、または、記録の追加、書き換えができるものであれば磁気記録媒体その他でも可能である。
【００３６】
以下、動作について説明する。
【００３７】
まず、超音波方式の流速計測に関して図２をもとに説明する。計測流路１８は矩形断面を持っており、計測流路１８のガスの流れる方向と直角方向にある壁面には計測流路１８を挟んで一対の超音波送受信器１９、２０が計測流路１８の上流側と下流側で角度φを有
して斜めに対向して装着されている。超音波送受信器１９、２０間で交互に超音波を送受信させて流体の流れに対して順方向と逆方向の超音波の伝搬時間の差を一定間隔を置いて計り、伝搬時間差信号として出力する働きを持つ。この伝搬時間差信号を受けて演算手段（図示せず）により被計測流体の流速及び流量を算出するものである。  
演算式を下記に示す。
【００３８】
図２においてＬは測定距離であり、ｔ１を上流からの伝達時間、ｔ２を下流からの伝達時間、Ｃを音速とすると、流速Ｖは
Ｖ＝Ｌ／２ｃｏｓφ（１／ｔ１−１／ｔ２）
計測の時間間隔は超音波の送受信が可能な範囲で設定できるが、器具判別を行うためには０．１秒の分解能があれば充分であり、ハンディガスメータ５のハンディ流量計測手段４のサンプリング間隔を短縮して、例えば０．０５秒の分解能でガス器具３の流量パターンの計測を精度良く取得して、パターン処理手段８ａで得られたデータを平均化等の簡素化してパターン処理を行い０．１秒の分解能の登録データとして固定ガスメータ１で扱えるようにして登録記憶手段１６に登録を行うことで、ノイズ成分の除去など登録データの精度をより高くすることができるようになり、器具判別に対する信頼性向上も図ることができる。
【００３９】
このように、超音波による計測構成とすることで、流量値の計測範囲も広く、かつ瞬時流量計測も可能であるため、より正確な流量計測が行え、器具判別に対する信頼性向上も図る固定ガスメータ１およびハンディガスメータ５を構成することが可能となる。
【００４０】
つぎに、器具判別を行う手順について説明する。その流れ図を図３に示す。
【００４１】
流量計測手段４で計測される使用ガス器具３の流量計測（ステップ１）を行い、計測された流量変化の状態（流量パターン）を登録パターン記憶手段８の登録データと比較し、ほぼ合致する使用ガス器具３を器具判別手段１７で判断する（ステップ２）するようになっている。そして、この器具判別手段１７で使用ガス器具３の使用状況を把握することで、ガス料金の設定や機器の使用状態に応じた効率よくガス器具３を使えるようにするマネイジメントサービスなど種々の利用方法が可能である。
【００４２】
前述の使用ガス器具３の登録データを作成して器具登録を行う手順について説明する。
【００４３】
図４の器具登録フローチャートにおいて、まず、ガスコンセント２と登録するガス器具３の間にハンディガスメータ５を配設する（ステップ３）して登録手段６を開始させるスイッチ等の登録開始手段７がｏｎされる（ステップ４）と、登録手段６は所定時間のハンディ流量計測手段４で計測される使用ガス器具３の流量を登録パターン記憶手段８に記憶していく。この間に、登録する使用ガス器具３を起動させ、この使用ガス器具３の立ち上がりおよび安定時の流量パターンを登録パターン記憶手段８に記憶させる（ステップ５）。
【００４４】
次に、登録パターン記憶手段８に記憶された使用ガス器具３の流量パターンを、平均化等の簡素化してパターン処理を行い登録データとして固定ガスメータ１で扱えるようにして登録記憶手段１６に登録を行う（ステップ６）。例えば、ハンディガスメータ５のハンディ流量計測手段４のサンプリング間隔は短縮して、例えば固定ガスメータ１で扱う倍の０．０５秒の分解能で使用ガス器具３の流量パターンの計測を精度良く取得して、得られたデータを平均化等の簡素化してパターン処理を行い０．１秒の分解能の登録データとして固定ガスメータ１で扱えるようにして登録記憶手段１６に登録を行うことで、ノイズ成分の除去など登録データの精度をより高くするようになっている。
【００４５】
ハンディガスメータ５の登録パターン記憶手段８に蓄えられたガス器具３の流量パターンの登録データは、固定ガスメータ１に登録データを伝達する伝達手段９例えば無線の送信装置を介して、固定ガスメータ１のハンディガスメータ５の使用するガス器具３の登録データを入力する情報入力手段１５例えば無線の受信装置へ転送し、登録記憶手段１６で登録データを記憶するようになっている（ステップ７）。
【００４６】
このように予め予使用者が使用するガス器具３の流量パターンをハンディガスメータ５で取得して、登録データとして固定ガスメータ１の登録記憶手段１６に登録を行い、登録記憶手段１６の登録データと固定ガスメータ１の固定流量計測手段１１で計測されるガス流量値とを比較しガス器具３を判断するようにしてあり、各家毎個別に使用している使用ガス器具３の計測データが登録データとなるので、ガスメータに使用するガス器具３の登録を精度良く行うことができるようになる。
【００４７】
そして、使用者が使用するガス器具３の流量パターンを着脱自在なハンディガスメータ５で直接ガス流量を計測して登録データとするようにしてあるので、他のガス器具３が使用中であっても、計測するガス器具３のガス流量が複合されて、ハンディガスメータにガス器具３の登録を正確にできない危険性を回避することができ、他の影響を受けずに、登録するガス器具３のガス流量をハンディ流量計測手段４で計測できるようになり、ハンディガスメータ５に使用ガス器具３の登録を精度良く行うことができるようになる。
【００４８】
また、使用者が使用するガス器具３の流量パターンを登録するために、一般的に家屋の外に設けられている固定ガスメータ１でガス器具３の登録を行おうとすると、使用者が使用するガス器具３と固定ガスメータ１が離れているために、登録操作を複数の人がかかって行う必要があったり、手間や時間を要してしまうようになる。しかしながら、ガスコンセント２とガス器具３の間に着脱自在に接続してガス器具３の登録を行うハンディガスメータ５を用いる場合には、ガス器具３とハンディガスメータ５が近いために、登録操作を一人で行うことができ、手間を省略でき、時間短縮を図ることができる様になる。
【００４９】
さらに、ハンディガスメータ５の登録パターン記憶手段８に得られた使用ガス器具３の流量パターンを登録データとして蓄積するようにしておけば、使用者が使用するガス器具３の流量パターンを登録するときに、同一機種があれば、ガス器具３の流量パターンを新規に取得せずに、固定ガスメータ１に直接ハンディガスメータ５の登録パターン記憶手段８の登録データを固定ガスメータ１の登録記憶手段１６に登録を行うことができ、ガス器具３の登録の簡便化が図れるようになる。
【００５０】
そしてまた、ハンディガスメータ５で、ガス器具３の流量パターンをハンディ流量計測手段４で計測して得られたデータを簡素化してパターン処理を行い登録データとするパターン処理手段を有するので、固定ガスメータ１の固定流量計測手段１１よりハンディガスメータ５のハンディ流量計測手段４の精度を高くして、使用ガス器具３の流量パターンの精度を向上させることができるようになる。例えば、ハンディガスメータ５のハンディ流量計測手段４のサンプリング間隔を短縮して使用ガス器具３の流量パターンの計測を精度良く取得して、得られたデータを平均化等の簡素化してパターン処理を行い登録データとして固定ガスメータ１で扱えるようにして登録記憶手段１６に登録を行うことで、ノイズ成分の除去など登録データの精度をより高くすることができるようになり、器具判別に対する信頼性向上も図ることができる。
【００５１】
また、固定ガスメータ１の固定流量計測手段１１はハンディガスメータ５のハンディ流量計測手段４よりサンプリング間隔を長くすることができ、固定流量計測手段１１の簡素化や電池寿命の長寿命化等が図れるようになる。
【００５２】
なお、本発明のハンディ流量計測手段４に関しては、超音波方式の計測部で説明したが、計測方式としては、他の流量計測方式でも短時間のサイクルで連続計測可能のもであればよく、その他各部の構成も本発明の目的を達成する範囲であればその構成はどのようなものであってもよい。
【産業上の利用可能性】
【００５３】
以上のように、本発明にかかる器具判別ガスメータシステムは、登録するデータとして各機器に特徴的な流量パターンを登録するため、判別する機器の数が個々の家庭内の機器に限られ比較するデータとの数が少なくなると共に、判別基準となる各機器の流量パターンを登録するため、その信頼性も高くなり、器具判別が簡単なアルゴリズムで高い判別能力をもつことが可能となり、使用器具に対応した保安設定値を最適に変更することや、使用機器に対応したガス料金の設定など、新たなサービスの提供を可能とする。
【符号の説明】
【００５４】
１  固定ガスメータ
２  ガスコンセント
３  ガス器具
４  ハンディ流量計測手段
５  ハンディガスメータ
６  登録手段
７  登録開始手段
８  登録パターン記憶手段
８ａ  パターン処理手段
９  伝達手段
１１  固定流量計測手段
１５  情報入力手段
１６  登録記憶手段  
１７  器具判別手段
【図１】
2010243052.tif 000003
【図２】
2010243052.tif 000004
【図３】
2010243052.tif 000005
【図４】
2010243052.tif 000006
【図５】
2010243052.tif 000007